(57)【要約】【課題】低コストで短期間に構築可能であり、且つ用地の確保が比較的容易であり、迅速に整備することができ、また、津波被害を十分に防止することができる波浪防護構造物および波浪防護構造物を提供することを目的としている。【解決手段】上部が地盤から突出した自立杭２…と、自立杭２…の上部を挿通させる孔３ａ…が形成された複数のブロック３…とが備えられ、ブロック３の孔３ａ，３ａに自立杭２，２の上部を差し込ませつつブロック３を配置することで構築される波浪防護構造物１において、複数のブロック３…が間隔をあけて並べられ、隣り合うブロック３，３間に、押し波が衝突する正面側からその反対の背面側に向かうに従い幅が先窄まりになったスリットＳが形成されている。【選択図】図２
2008038451.tif 000002
【特許請求の範囲】
【請求項１】
上部が地盤から突出した自立杭と、該自立杭の上部を挿通させる孔が形成された複数のブロックとが備えられ、
前記ブロックの孔に前記自立杭の上部を差し込ませつつブロックを配置することで構築される波浪防護構造物において、
複数のブロックが間隔をあけて並べられ、隣り合うブロック間に、押し波が衝突する正面側からその反対の背面側に向かうに従い幅が先窄まりになったスリットが形成されていることを特徴とする波浪防護構造物。
【請求項２】
請求項１記載の波浪防護構造物において、
ブロックの縦方向に延在する正面側の角部が丸みを帯びた形状になっていることを特徴とする波浪防護構造物。
【請求項３】
請求項１または２記載の波浪防護構造物において、
前記ブロックを積み重ねることで構築されることを特徴とする波浪防護構造物。
【請求項４】
請求項１から３のいずれかに記載の波浪防護構造物において、
前記ブロックの正面側に、押し波の波力を吸収する波力吸収パネルが配設されていることを特徴とする波浪防護構造物。
【発明の詳細な説明】
【技術分野】
【０００１】
本発明は、主に津波等の波浪対策として設置される波浪防護構造物に関する。
【背景技術】
【０００２】
従来より、広域的な津波対策として防浪堤がある。従来の防浪堤はケーソンや盛土からなるものが多く、この防浪堤が例えば湾口等に築造されることで、湾内に津波（押し波）が押し寄せることを防止することができる。
【０００３】
また、近年、複数のブロックを積み重ねて構築される防浪堤が提供されている。この防浪堤は、海底地盤に杭が打設され、この杭の上部が地盤から突出されている。一方、ブロックに孔が形成されており、この孔に杭上部を挿通させつつブロックが積み重ねられている。また、ブロックは、杭間に架け渡すように格子状に配設されており、隣り合うブロックの間には隙間があけられている（例えば、特許文献１，２参照。）。
【特許文献１】特開昭６３−６７３１０号公報（第６図）
【特許文献２】特開昭６３−６７３１１号公報（第６図）
【発明の開示】
【発明が解決しようとする課題】
【０００４】
しかしながら、上記したケーソンや盛土からなる従来の防浪堤は、押し波を完全に遮断する構造物であり、防浪堤が受ける波圧が大きいため、大規模なものになる場合が多い。したがって、その建設には相当のコストと時間を要するとともに、その建設用地の確保が難しく、迅速な整備が困難であるという問題がある。
また、上記したブロックを積み重ねて構築される従来の防浪堤では、ブロック間の隙間から押し波の通過をある程度許容する構成になっているため、防浪堤が受ける波圧を低減させることができるが、この隙間を通過する水流の勢力が強く、津波被害防止の効果が低いという問題がある。
【０００５】
本発明は、上記した従来の問題が考慮されたものであり、低コストで短期間に構築可能であり、且つ用地の確保が比較的容易であり、迅速に整備することができ、また、津波被害を十分に防止することができる波浪防護構造物を提供することを目的としている。
【課題を解決するための手段】
【０００６】
本発明に係る波浪防護構造物は、上部が地盤から突出した自立杭と、該自立杭の上部を挿通させる孔が形成された複数のブロックとが備えられ、前記ブロックの孔に前記自立杭の上部を差し込ませつつブロックを配置することで構築される波浪防護構造物において、複数のブロックが間隔をあけて並べられ、隣り合うブロック間に、押し波が衝突する正面側からその反対の背面側に向かうに従い幅が先窄まりになったスリットが形成されていることを特徴としている。
【０００７】
このような特徴により、ブロック間のスリットにより押し波の通過がある程度許容され、波浪防護構造物が受ける波力が低減される。また、押し波の通過を許容するスリットが先窄まり形状になっているため、スリットを通過する水流の勢力が減ぜられる。
【０００８】
また、本発明に係る波浪防護構造物は、ブロックの縦方向に延在する正面側の角部が丸みを帯びた形状になっている構成にしてもよい。
【０００９】
このように、スリットを形成するブロックを流体力学的に滑らかな形状にすることで、波浪防護構造物の背面側で渦が発生し易くなり、波のエネルギーが損失されるため、背後の波浪防護構造物に作用する力が軽減される。
【００１０】
また、本発明に係る波浪防護構造物は、前記ブロックを積み重ねることで構築されるものでもよい。
【００１１】
これによって、ブロックの段数を調整することで所定の高さの波浪防護構造物を構築することが可能である。
【００１２】
さらに、本発明に係る波浪防護構造物は、前記ブロックの正面側に、押し波の波力を吸収する波力吸収パネルが配設されている構成にしてもよい。
【００１３】
これにより、波力吸収パネルにより押し波の波力がある程度吸収されるため、ブロックで構成された部分が受ける波力が低減される。
【発明の効果】
【００１４】
本発明に係る波浪防護構造物によれば、波浪防護構造物が受ける波力が低減されるため、杭のスリム化を図ることができるとともに杭上部にブロックを嵌め込む簡単な構成にすることができ、低コストで短期間に津波対策工を構築することができる。また、自立杭によって支持されているため、用地の制約を受け難く、用地の確保が比較的容易である。したがって、津波対策工を迅速に整備することができる。また、スリットを通過する水流の勢力が減ぜられるため、波浪防護構造物によって津波被害を十分に防止することができる。
【発明を実施するための最良の形態】
【００１５】
以下、本発明に係る波浪防護構造物の実施の形態について、図面に基いて説明する。
【００１６】
まず、本発明に係る波浪防護構造物としての津波防護柵１について説明する。
図１は本実施の形態における津波防護柵１の配置図であり、図２は本実施の形態における津波防護柵１の斜視図であり、図３は本実施の形態における津波防護柵１の平面図である。
【００１７】
図１に示すように、津波防護柵１は、津波災害を防止するべく津波（押し波）の進入を遮るように地上に建てられた障壁状の津波対策工であり、例えば、湾岸に建てられたタンク等の地上構造物Ｘの周囲に配置されている。なお、津波防護柵１は、構造物Ｘの全周を囲うように環状に配設させてもよく、或いは、構造物Ｘの海岸側にだけ配置して反対の内陸側を開放させた状態に配設させてもよい。
【００１８】
図２に示すように、津波防護柵１の概略構成としては、複数の杭２…（自立杭）と、杭２に支持された複数のパネル３…（ブロック）とからなる。
【００１９】
杭２は、地盤Ｇに打設されて自立しているとともに津波の波力に抵抗し得る根入れと強度とを有している杭であり、例えば公知の既製杭からなる。杭２は、この杭２の上部は、地盤Ｇ内から突出されており、具体的には、パネル３を縦方向に貫通するだけの長さだけ地表から上方に突出されている。また、複数の杭２…は、津波防護柵１の配置ラインに沿って所定間隔をあけて一列に配設されている。
【００２０】
パネル３は、図２，図３に示すように、プレキャストコンクリート板４の両面に薄鉄板５，６が被覆された構成、つまり薄鉄板５，６でプレキャストコンクリート板４を挟んだサンドイッチ構造の合成構造部材であり、津波の波力に抵抗し得る強度を持つとともに津波により流された漂流物の衝突に対する耐衝撃性を持った構造のものである。また、パネル３の前面（正面側）には、波力吸収パネル７が取り付けられている。このパネル３の縦方向の寸法Ｈは、津波対策として必要な高さに相当する寸法になっており、想定される津波の遡上高さに基づいて決定される。
【００２１】
また、パネル３には、上記した杭２の上部を挿通させる孔３ａ，３ａが複数（本実施の形態では２箇所）開けられている。この孔３ａ，３ａは、パネル３の縦方向に延在された貫通孔であり、杭２の径よりも若干大きい径で開けられている。そして、パネル３は、その孔３ａ，３ａに杭２，２の上部をそれぞれ差し込ませて立設して配置されており、パネル３は複数の杭２，２によって支持されている。このとき、孔３ａ内に緩挿された杭２の外周面と孔３ａの内周面との間にグラウト等の図示せぬ充填材を充填して、杭２にパネル３を固着させてもよい。なお、パネル３は、地表面上に載せた状態で設けられていてもよく、或いは、地表面との間に隙間をあけて設けられていてもよい。
【００２２】
また、パネル３は、図３に示すように、平面視形状が台形になっている。そして、複数のパネル３…は、所定の間隔をあけて並べられ、隣り合うパネル３，３間には、スリットＳがそれぞれ形成されている。このスリットＳは、隣り合うパネル３，３の側面間に形成されたパネル縦方向に延在する隙間であり、押し波が衝突する正面側（海岸側）からその反対の背面側（内陸側）に向かうに従い、つまり押し波の進行方向に従いスリット幅が先窄まりになっている。具体的には、平面視形状が台形のスリットＳが形成されている。また、パネル３は、流体力学的に滑らかな形状になっている。具体的には、パネル３の縦方向に延在する正面側の角部３ｂ，３ｂが丸みを帯びた形状になっている。つまり、押し波が衝突する正面側の角部３ｂ，３ｂが、角がとれて曲面的で滑らかな形状になっている。
【００２３】
次に、上記した構成からなる津波防護柵１の施工方法について説明する。
【００２４】
まず、構造物Ｘの周囲に複数の杭２…を所定間隔をあけて一列に打設する工程を行う。このとき、杭２…の上部が地盤Ｇから突出するように各杭２…の打設深さを調整する。また、各杭２…の上端レベルをほぼ同じになるようにしておく。
【００２５】
次に、複数のパネル３…を構造物Ｘの周囲に一列に並べてそれぞれ設置する工程を行う。このとき、パネル３は、その孔３ａ，３ａに杭２…の上部をそれぞれ緩挿させて、杭２，２の上部に落とし込むようにして配置する。また、必要に応じて、パネル３の孔３ａ，３ａの中に図示せぬ充填材を充填する。
【００２６】
上記した構成からなる津波防護柵１によれば、隣り合うパネル３，３間に、押し波が衝突する正面側からその反対の背面側に向かうに従い幅が先窄まりになったスリットＳが形成された構成となっているため、パネル３，３間のスリットＳにより押し波の通過がある程度許容され、津波防護柵１が受ける波力が低減される。これにより、杭２のスリム化を図ることができるとともに杭２…の上部にパネル３…を嵌め込む簡単な構成にすることができ、低コストで短期間に津波対策工を構築することができる。
【００２７】
また、自立した杭２によってパネル３…が支持されているため、自由な平面形状を構成することが可能となり、用地の制約を受け難く、用地の確保が比較的容易である。
また、杭２…やパネル３…にはプレキャスト部材を用いられているため、短い工期で施工することができる。
【００２８】
また、押し波の通過を許容するスリットＳが先窄まり形状になっているため、スリットＳを通過する水流の勢力が減ぜられる。これにより、周囲に津波防護柵１が構築された構造物Ｘの津波被害を十分に防止することができる。
【００２９】
また、スリットＳにより津波の引き波の通過が許容されるため、水抜き孔等を別途形成することなく、津波防護柵１の背面側の堪水を防止することができる。
さらに、パネル３…の並べ方次第で、津波防護柵１の形状を自由に変更可能であるため、任意の形状の津波防護柵１を容易に形成することができる。このとき、複数の杭２…や複数のパネル３…には同一寸法のものを使用することができるため、経済的である。
【００３０】
また、パネル３…の縦方向に延在する正面側の角部３ｂ，３ｂが丸みを帯びた形状になっているため、スリットＳを形成するパネル３…が流体力学的に滑らかな形状になり、津波防護柵１の背面側で渦が発生し難くなる。これにより、津波防護柵１に作用する力が軽減され、津波防護柵１を簡易な構成のものにすることができる。
【００３１】
図４は本発明に係る波浪防護構造物の他の実施の形態である津波防護柵１´の斜視図である。
図４に示すように、津波防護柵１´は、パネル３…が積み重ねられた構成であってもよい。つまり、パネル３…が複数段になっており、例えば、下段のパネル３…の上に上段のパネル３…が載せられた２段式にすることができる。このとき、上段のパネル３…の孔３ａ…は、下段のパネル３…の孔３ａ…に孔合わせされており、上段のパネル３…は、下段のパネル３…と同様に、杭２の上部が上段のパネル３…の孔３ａ…の中に緩挿されて支持されている。このようにパネル３…を積み重ねて配置することで、パネル３の縦寸法を高くすることなく、必要な高さの津波防護柵１´を容易に構築することができる。
【００３２】
また、パネル３…は、千鳥に積み重ねることが好ましい。つまり、上段のパネル３を、隣り合う下段のパネル３，３間に架け渡した状態で積み重ねる。これにより、下段のパネル３，３間のスリットＳと上段のパネル３，３間のスリットＳとが連続せず、津波防護柵１´に作用する荷重の均等化を図ることができる。また、複数のパネル３…が杭２…を介して連結された構成となり、津波に対する津波防護柵１´の強度が向上する。
【００３３】
次に、本発明に係る波浪防護構造物としての防浪堤１００について説明する。
図５は本実施の形態における防浪堤１００の配置状況を表した港湾等の断面図であり、図６は本実施の形態における防浪堤１００の斜視図であり、図７は本実施の形態における防浪堤１００の平面図である。
【００３４】
図５に示すように、防浪堤１００は、津波災害を防止するべく津波（押し波）の進入を遮るように海中に建てられた障壁状の津波対策工であり、例えば、湾口等に配設されている。
【００３５】
図６に示すように、防浪堤１００の概略構成としては、複数の杭１０２…（自立杭）と、杭１０２…に支持された複数のブロック１０３…と、防浪堤１００の正面側に設けられた複数の波力吸収パネル１０４…と、防浪堤１００の下端部に設けられた洗掘防止板１０１…とからなる。
【００３６】
杭１０２…は、上述した津波防護柵１の杭２と同様の杭であり、海底地盤Ｇ´に打設されて自立しているとともに津波の波力に抵抗し得る根入れと強度とを有している杭であり、例えば公知の既製杭からなる。この杭１０２…の上部は、海底地盤Ｇ´内から突出されている。また、複数の杭１０２…は、湾口等の防浪堤１００の築造場所に所定間隔をあけて二列に配設されている。
【００３７】
ブロック１０３…は、図６，図７に示すように、プレキャストコンクリートからなるブロックであり、津波の波力に抵抗し得る強度を持つとともに津波により流された漂流物の衝突に対する耐衝撃性を持った構造になっている。
【００３８】
複数のブロック１０３…は、間隔をあけて一列に並べられているとともに、複数段（本実施の形態では３段）に積み重ねて配置されている。このとき、ブロック１０３…は、千鳥に積み重ねることが好ましい。つまり、隣り合う下段側のブロック１０３，１０３間に上段側のブロック１０３を架け渡すようにして積み重ねられている。これにより、下段側のブロック１０３，１０３間の後述するスリットＳと上段側のブロック１０３，１０３間の後述するスリットＳとが連続せず、防浪堤１００に作用する荷重の均等化を図ることができる。
【００３９】
また、ブロック１０３…には、上記した杭１０２…の上部を挿通させる孔１０３ａ…が複数（本実施の形態では４箇所）開けられている。この孔１０３ａは、ブロック１０３の高さ方向に延在された貫通孔であり、杭１０２の径よりも若干大きい径で開けられている。そして、ブロック１０３は、その孔１０３ａ…に杭１０２…の上部をそれぞれ差し込ませて保持されており、複数の杭１０２…によってブロック１０３は支持されている。このとき、積み重ねられたブロック１０３…の孔１０３ａ…は上下で孔合わせされており、杭１０２の上部は、積み重ねられた複数のブロック１０３…の孔１０３ａ…の中にそれぞれ緩挿されている。
【００４０】
このように、複数のブロック１０３…が杭１０２…を介して連結された構成となり、津波に対する防浪堤１００の強度が向上する。なお、孔１０３ａ…内に緩挿された杭１０２…の外周面と孔１０３ａ…の内周面との間にグラウト等の図示せぬ充填材を充填して、杭１０２…にブロック１０３…を固着させてもよい。また、最下段のブロック１０３…は、海底に載置されており、最上段のブロック１０３…は海面よりも下に配置されている。
【００４１】
また、ブロック１０３…は、図７に示すように、平面視形状が台形になっている。そして、複数のブロック１０３…は、所定の間隔をあけて並べられ、隣り合うブロック１０３，１０３間にはスリットＳ…がそれぞれ形成されている。このスリットＳは、隣り合うブロック１０３，１０３の側面間に形成された隙間であり、押し波が衝突する正面側（海岸側）からその反対の背面側（内陸側）に向かうに従い、つまり押し波の進行方向に従いスリット幅が先窄まりになっている。具体的には、平面視形状が台形のスリットＳが形成されている。また、ブロック１０３…は、流体力学的に滑らかな形状になっている。具体的には、ブロック１０３の高さ方向に延在する正面側の角部１０３ｂ，１０３ｂが丸みを帯びた形状になっている。つまり、押し波が衝突する正面側の角部１０３ｂ，１０３ｂが、角がとれて曲面的で滑らかな形状になっている。
【００４２】
図６に示すように、波力吸収パネル１０４…は、津波（押し波）の波力を吸収するための板状部材であり、例えば合成ゴム等からなる板材を用いることができる。波力吸収パネル１０４…は、ブロック１０３…の正面側に配設されており、具体的には、波力吸収パネル１０４…は、押し波が衝突する各ブロック１０３…の正面に被覆されている。
【００４３】
また、洗掘防止板１０１…は、洗掘を防止するための板材である。洗掘防止板１０１…は、最下段の各ブロック１０３…の正面側からそれぞれ垂設されており、海底地盤Ｇ´内に埋設されるように配設されている。
【００４４】
次に、上記した構成からなる防浪堤１００の施工方法について説明する。
【００４５】
まず、防浪堤１００の築造場所に複数の杭１０２…を所定間隔をあけて二列に打設する工程を行う。このとき、杭１０２…の上部が海底地盤Ｇ´から突出するように各杭１０２…の打設深さを調整する。また、各杭１０２…の上端レベルをほぼ同じになるようにしておく。
【００４６】
次に、複数のブロック１０３…を一列に並べるとともに複数段に積み重ねて設置する工程を行う。このとき、ブロック１０３は、その孔１０３ａ…に杭１０２…の上部をそれぞれ緩挿させて、杭１０２…の上部に落とし込むようにして配置する。また、必要に応じて、ブロック１０３の孔１０３ａ…の中に図示せぬ充填材を充填する。
【００４７】
上記した構成からなる防浪堤１００によれば、隣り合うブロック１０３，１０３間に、押し波が衝突する正面側からその反対の背面側に向かうに従い幅が先窄まりになったスリットＳが形成された構成からなることにより、押し波の通過がある程度許容され、波浪防護構造物が受ける波力が低減される。これによって、杭１０２…のスリム化を図ることができるとともに杭１０２…の上部にブロック１０３…を嵌め込む簡単な構成にすることができ、低コストで短期間に津波対策工を構築することができる。
【００４８】
また、自立した杭１０２…によってブロック１０３…が支持されているため、用地の制約を受け難く、用地の確保が比較的容易である。
また、杭１０２…やブロック１０３…にはプレキャスト部材を用いられているため、短い工期で施工することができる。
【００４９】
また、押し波の通過を許容するスリットＳが先窄まり形状になっているため、スリットＳを通過する水流の勢力が減ぜられる。これにより、湾口に防浪堤１００が構築された湾内や湾岸の津波被害を十分に防止することができる。
【００５０】
また、スリットＳにより津波の引き波の通過が許容されるため、水抜き孔等を別途形成することなく、防浪堤１００の背面側の堪水を防止することができる。
さらに、ブロック１０３…の並べ方次第で、防浪堤１００の形状を自由に変更可能であるため、任意の形状の防浪堤１００を容易に形成することができる。このとき、複数の杭１０２…や複数のブロック１０３…には同一寸法のものを使用することができるため、経済的である。
【００５１】
また、ブロック１０３…の縦方向に延在する正面側の角部１０３ｂ，１０３ｂが丸みを帯びた形状になっているため、スリットＳを形成するブロック１０３…が流体力学的に滑らかな形状になり、防浪堤１００の背面側で渦が発生し難くなる。これにより、防浪堤１００に作用する力が軽減され、防浪堤１００を簡易な構成のものにすることができる。
【００５２】
また、ブロック１０３…の正面側に、押し波の波力を吸収する波力吸収パネル１０４…が配設されているため、波力吸収パネル１０４により押し波の波力がある程度吸収され、ブロック１０３…で構成された部分が受ける波力が低減される。これにより、防浪堤１００を簡易な構成のものにすることができる。
また、防浪堤１００の下端部には、洗掘防止板１０１…が海底地盤Ｇ´内に埋設されて設けられているため、ブロック１０３…下方の洗掘を防止することができる。
【００５３】
また、上記した海中に構築された防浪堤１００は、最上段のブロック１０３…が海面以深に配設されており、防浪堤１００の上端が海面から出ないように形成することが可能であるため、湾口等の景観に影響が及ぶことを防止することができる。
【００５４】
以上、本発明に係る波浪防護構造物の実施の形態について説明したが、本発明は上記した実施の形態に限定されるものではなく、その趣旨を逸脱しない範囲で適宜変更可能である。例えば、上記した実施の形態では、パネル３…やブロック１０３…の平面視形状が台形になっており、隣り合うパネル３，３間やブロック１０３，１０３間に形成されるスリットＳの平面視形状が、正面側から背面側に向かうに従い幅が直線的に先窄まりになった形状（台形）になっているが、本発明は、ブロックの平面視形状が上記した台形以外でもよく、また、隣り合うブロック間に形成されるスリットの平面視形状が上記した台形以外でもよい。例えば、ブロックの平面視形状が半円形であってもよく、この場合、隣り合うブロック間に形成されるスリットの平面視形状は、正面側から背面側に向かうに従い幅が円弧状に先窄まりになった形状であってもよい。
【００５５】
また、上記した実施の形態では、津波防護柵１が構造物Ｘを囲うように構築されているが、本発明に係る波浪防護構造物は、構造物の周り以外に構築してもよく、例えば、湾岸に沿って波浪防護構造物が配設されていてもよく、或いは、複数の構造物が建ち並ぶ或る湾岸地区の周囲に波浪防護構造物が配設されていてもよい。また、上記した実施の形態では、防浪堤１００が湾口等の海中に構築されているが、本発明に係る波浪防護構造物は、陸上に構築されていてもよく、例えば、湾岸に沿って波浪防護構造物を構築してもよい。
【００５６】
また、上記した実施の形態では、パネル３…の縦方向に延在する正面側の角部３ｂ，３ｂが丸みを帯びた形状になっており、また、ブロック１０３…の縦方向に延在する正面側の角部１０３ｂ，１０３ｂが丸みを帯びた形状になっているが、本発明は、ブロックやブロックの縦方向に延在する正面側の角部が丸みを帯びていなくてもよく、例えば、ブロックの縦方向に延在する正面側の角部が直線的に角が取られた形状（面取り形状）になっていてもよく、或いは、ブロックの角部が角が取られていない形状になっていてもよい。
【００５７】
また、上記した実施の形態の防浪堤１００では、最下段のブロック１０３…が海底地盤Ｇ´上に載置されているが、本発明に係る波浪防護構造物は、最下段のブロックが海底地盤の上に配設され、最下段のブロックと海底面との間に空間が形成されていてもよい。
【００５８】
また、上記した実施の形態の津波防護柵１や防浪堤１００では、各パネル３…や各ブロック１０３…の正面側に波力吸収パネル７…，１０４…がそれぞれ被覆されているが、本発明は、波力吸収パネルの取り付け方は適宜変更可能であり、例えば、上段のブロックにのみ波力吸収パネルが取り付けられていてもよい。さらに、この波力吸収パネル７…，１０４…が取り付けられていない構成にしてもよい。
【００５９】
また、上記した実施の形態の防浪堤１００では、最上段のブロック１０３…が海面以深に配設され、防浪堤１００の上端が海面から出ないように形成されているが、本発明に係る波浪防護構造物は、最上段のブロックが海面よりも上に配設され、或いは、最上段のブロックの上端部が海面よりも上になるように配設され、波浪防護構造物の上端が海面から出るような構成にしてもよい。また、ブロックは積み重ねることなく、一段であってもよい。
【００６０】
また、上記した実施の形態では、波浪防護構造物として、地上に配設された津波防護柵１、１´と水中に配設された防浪堤１００とについて説明しているが、本発明は、上記した津波防護柵１、１´を水中に配設してもよく、或いは、上記した防浪堤１００を地上に配設してもよい。さらに、水中に波浪防護構造物を配設したときに、一列の波浪防護構造物では波力低減効果が不足する場合は、波の押し寄せる方向に対向させて、波浪防護構造物を複数列並べて配設させてもよい。
【００６１】
また、上記した実施の形態では、津波防護柵１、１´を構成するパネル３…は地上に立設されて配置されているが、本発明は、波浪防護構造物を構成するブロックの下端部を地盤中に埋め込ませてよい。これによって、洗掘を防止することができる。
【００６２】
また、上記した実施の形態では、津波防護柵１、１´を構成するパネル３…が、プレキャストコンクリート板４の両面に薄鉄板５，６が被覆されたサンドイッチ構造になっているが、本発明に係るブロックは、上記した構造のものに限定されるものではない。例えば、プレキャストコンクリート板や鋼板のみからなるブロックであってもよい。また、上記した正面側の薄鉄板５に代えて波力吸収パネル１０４を被覆させてもよい。
【００６３】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００６４】
【図１】本発明に係る波浪防護構造物の実施の形態を説明するための配置図である。
【図２】本発明に係る波浪防護構造物の実施の形態を説明するための斜視図である。
【図３】本発明に係る波浪防護構造物の実施の形態を説明するための平面図である。
【図４】本発明に係る波浪防護構造物の他の実施の形態を説明するための斜視図である。
【図５】本発明に係る波浪防護構造物の実施の形態を説明するための断面図である。
【図６】本発明に係る波浪防護構造物の実施の形態を説明するための斜視図である。
【図７】本発明に係る波浪防護構造物の実施の形態を説明するための平面図である。
【符号の説明】
【００６５】
１，１’  津波防護柵（波浪防護構造物）
２  杭（自立杭）
３  パネル（ブロック）
３ａ  孔
３ｂ  角部
７，１０４  波力吸収パネル
１００  防浪堤（波浪防護構造物）
１０２  杭（自立杭）
１０３  ブロック
１０３ａ  孔
１０３ｂ  角部
Ｇ  地盤
Ｇ´海底地盤（地盤）
Ｓ  スリット
【図１】
2008038451.tif 000003
【図２】
2008038451.tif 000004
【図３】
2008038451.tif 000005
【図４】
2008038451.tif 000006
【図５】
2008038451.tif 000007
【図６】
2008038451.tif 000008
【図７】
2008038451.tif 000009